【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
亜鉛および少なくともひとつの他のドーピング剤でドープした二酸化チタン (TiO2)を含み、医療施設構造、またはその中の少なくともひとつの物体、またはそれらの組合せの少なくともひとつの無生物表面に塗布することによって、医療施設における医療関連感染症の罹患を低減するための、光触媒組成物。
【請求項２】
医療関連感染症が、骨感染症、関節感染症、血流感染症、中枢神経系感染症、心臓血管系感染症、肺炎、生殖管感染症、および術野感染症よりなる群から選択される、請求項１に記載の光触媒組成物。
【請求項３】
医療関連感染症が、胃腸内感染症、下気道感染症、上気道感染症、皮膚または軟組織感染症、血流感染症、眼感染症、耳感染症、鼻感染症、喉感染症、口感染症、および尿路感染症よりなる群から選択される、請求項１に記載の光触媒組成物。
【請求項４】
リッターあたり約500 ft2から約1500 ft2の率で塗布される、請求項１に記載の光触媒組成物。
【請求項５】
スプレー、アトマイズ、コーティング、イマージョン、またはディッピングで塗布される、請求項４に記載の光触媒組成物。
【請求項６】
医療関連感染症の罹患が、医療施設構造、その中の少なくともひとつの物体、またはそれらの組合せの無生物表面の１回の処理後１２か月間にわたって少なくとも20%低減される、請求項１に記載の光触媒組成物。
【請求項７】
医療関連感染症の罹患が、医療施設構造、その中の少なくともひとつの物体、またはそれらの組合せの無生物表面の１回の処理後１２か月間にわたって少なくとも30%低減される、請求項１に記載の光触媒組成物。
【請求項８】
医療施設構造、またはその中の少なくともひとつの物体、またはそれらの組合せの無生物表面を処理するステップが、アシネトバクター (Acinetobacter)、アデノウィルス (adenovirus)、バシルス (Bacillus)、バークホルデリア (Burkholderia)、ボルデテラ (Bordetella)、ブルセラ (Brucella)、カリシウィルス (caliciviruses)、帯状疱疹（水痘）(zoster (chickenpox)）を包含するヘルペス (herpes)、クロストリジウム (Clostridium)、SARS、MERS、およびPEDVを包含するコロナウィルス (corona viruses)、エンテロコッカス (Enterococcus)、エシェリキア (Escherichia)、ヘモフィルス (Hemophilus)、肝炎ウィルスAおよびB (hepatitis viruses A and B)、インフルエンザおよびパラインフルエンザウィルス (influenza and parainfluenza viruses)、クレブシエラ (Klebsiella)、リステリア (Listeria)、レジオネラ (Legionella)、麻疹ウィルス (measles virus)、流行性耳下腺炎ウィルス (mumps virus)、マイコバクテリウム (Mycobacterium)、ナイセリア (Neisseria)、ノロウィルス (norovirus)、シュードモナス (Pseudomonas)、パルボウィルス (parvovirus)、ポリオウィルス (poliovirus)、ライノウィルス (rhinovirus)、RSウィルス (respiratory syncytial virus)、ロタウィルス (rotavirus)、風疹 (rubella)、サルモネラ (Salmonella)、ストレプトコッカス (Streptococcus)、スタフィロコッカス (Staphylococcus)、ならびにビブリオ (Vibrio)の種を包含する、感染因子を低減するのに適している。低減される感染因子は、抗菌剤に影響されやすいもの、および、制限なく、MRSA （メチシリン耐性スタフィロコッカス・アウレウス (methicillin-resistant Staphylococcus aureus)）、VISA（バンコマイシン中等度耐性スタフィロコッカス・アウレウス (vancomycin intermediate Staphylococcus aureus)）、MRE（多剤耐性エンテロコッカス (multiply resistant enterococci)）、およびVRE（バンコマイシン耐性エンテロコッカス (vancomycin-resistant enterococci)）の種よりなる群から選択される少なくともひとつの感染因子を防止し、その存在を低減する、請求項１に記載の光触媒組成物。
【請求項９】
少なくともひとつの無生物表面が、廊下、オフィス、トイレ、エレベーター、吹き抜け、キッチン／カフェテリア、共有エリア、ナースステーション、およびドクターステーションの壁、備品、床、および天井を包含する、請求項１に記載の光触媒組成物。
【請求項１０】
前記少なくともひとつの物体が、カーテン、呼び出しボタン、コンピューター、モニター、壁掛け式コンピュータキオスク、血圧測定カフ、車いす、リフト、カート、およびベッドよりなる群から選択される、請求項１に記載の光触媒組成物。
【請求項１１】
前記少なくともひとつのドーピング剤が約200 nmから約500 nmの範囲にわたる光の吸収を増大する、請求項１に記載の光触媒組成物。
【請求項１２】
約450 nmより長波長の光の吸収が、約350 nmより短波長の光の吸収の50%未満である、請求項１に記載の光触媒組成物。
【請求項１３】
前記少なくともひとつの他のドーピング剤が、Ag, Si, C, S, Fe, Mo, Ru, Cu, Os, Re, Rh, Sn, Pt, Li, Na, およびKよりなる群から選択される、請求項１に記載の光触媒組成物。
【請求項１４】
前記二酸化チタンナノ粒子が、約2 nmから約20 nmの平均粒子径を有する、請求項１に記載の光触媒組成物。
【請求項１５】
少なくともひとつの他のドーピング剤がケイ素である、請求項１に記載の光触媒組成物。
【請求項１６】
少なくともひとつの他のドーピング剤が二酸化ケイ素である、請求項１に記載の光触媒組成物。
【請求項１７】
約3から約20の二酸化チタン対二酸化ケイ素の比を有する、請求項１６に記載の光触媒組成物。
【請求項１８】
約5から約150の二酸化チタン対亜鉛の比、および約1から約500の二酸化チタン対二酸化ケイ素の比を有する、請求項１６に記載の光触媒組成物。
【請求項１９】
実質的に、
(A) 約5000から約10000 ppmの二酸化チタン、
(B) 約50から約150 ppmの亜鉛、および
(C) 約300から約1000 ppmの二酸化ケイ素
からなる、請求項１に記載の光触媒組成物。
【請求項２０】
ヒトまたは動物集団によって占拠される構造、またはその中に存在する少なくともひとつの無生物物体、またはそれらの組合せの少なくともひとつの無生物表面に、亜鉛および少なくともひとつの他のドーピング剤でドープした二酸化チタン (TiO2)を含む光触媒組成物を塗布することによって、ヒトまたは動物集団における感染を防止するか、または、その数を低減するための、光触媒組成物。
【請求項２１】
集団によって占拠される構造は、農業施設、食品加工施設、賄い施設、レストラン、ホテル、モーテル、および託児所よりなる群から選択される、請求項２０に記載の光触媒組成物。